(57)【要約】【課題】耳に掛けた時の装着感が良く、生産性も高いものとすることができ、耳掛け部における破損が起きにくい美容マスクを提供すること。【解決手段】美容マスクＭは、一側切断部４０及び他側切断部４１は、下降切断部４０１及び下降切断部４１１が耳側外縁２１１，３１１，２２１，３２１側から内側に向かって、鼻側から口側に下側傾斜するように設けられており、それらの内側末端である上昇切断部４０２，４１２は口側から鼻側に向かって上側に折り返すように形成されている。【選択図】図１
2014046067.tif 000002
【特許請求の範囲】
【請求項１】
顔面に接触し顔面の一部を覆うための美容マスクであって、
鼻側における顔面の一部を覆って耳側に引っ張る上側当接部と、口側における顔面の一部を覆って耳側に引っ張る下側当接部と、を有するシート状基材を備え、
前記上側当接部及び前記下側当接部のそれぞれには、耳に掛けてこの美容マスクを顔面に保持するための固定部が設けられており、
前記上側当接部と前記下側当接部とは、前記シート状基材を一方の耳側外縁側から内側に向かって切断して形成される一側切断部と、前記シート状基材を他方の耳側外縁側から内側に向かって切断して形成される他側切断部とによって区切られており、
未使用時においては前記一側切断部の両側が互いに当接すると共に、前記他側切断部の両側が互いに当接するように構成され、
前記一側切断部及び前記他側切断部は、前記耳側外縁側から内側に向かって、鼻側から口側に下側傾斜するように形成される下降切断部と、前記下降切断部の内側末端に繋がり口側から鼻側に向かって上側に折り返すように形成される上昇切断部とを有してなることを特徴とする美容マスク。
【請求項２】
前記鼻側から前記口側に向かう縦方向に直交する横方向に対して、前記下降切断部が成す角度は、１０度〜５０度であることを特徴とする請求項１に記載の美容マスク。
【請求項３】
前記鼻側から前記口側に向かう縦方向に対して、前記上昇切断部が成す角度は、０度〜６０度であることを特徴とする請求項１又は請求項２に記載の美容マスク。
【請求項４】
前記縦方向に対して、前記上昇切断部が略平行となるように形成されていることを特徴とする請求項２又は請求項３に記載の美容マスク。
【請求項５】
前記一側切断部の前記耳側外縁に至る部分の両側、及び前記他側切断部の前記耳側外縁に至る部分の両側が、それぞれ部分的に繋がるように形成されていることを特徴とする請求項１乃至請求項４のいずれかに記載の美容マスク。
【発明の詳細な説明】
【技術分野】
【０００１】
本発明は、顔面に接触し顔面の一部を覆うための美容マスクに関する。
【背景技術】
【０００２】
顔面に接触し顔面の一部を覆うための美容マスクの一種として、下記特許文献１に記載されたものが提案されている。下記特許文献１に記載された美容マスクは、伸縮性を有するシート状基材からなり、そのシート状基材の上下に位置するように第一の引張体及び第二の引張体が設けられている。第一の引張体は、口の周り及び頬を覆って口角及び頬を耳に向かって引っ張るものであり、一対の第一の耳掛け部が設けられている。第二の引張体は、下顎を覆って下顎を顎先から耳に向かって引っ張るものであり、一対の第二の耳掛け部が設けられている。そして、第一の引張体と第二の引張体との間には、両側端から中心に向かって切込み部が設けられている。
【先行技術文献】
【特許文献】
【０００３】
【特許文献１】特開２０１０−２５９６２１号公報
【発明の概要】
【発明が解決しようとする課題】
【０００４】
上記特許文献１に記載された美容マスクの切込み部は、両端側に向かうに従って、その幅が広がるように形成されている。このような形成の切込み部を形成しようとすると。シート状基材を切込み部の外形にそって略三角形にプレスで打ち抜き、その打ち抜いた部分を除去する必要がある。美容マスクは顔に密着させるものであるから、シート状基材は可撓性のある比較的薄手のシート材料で構成される。そのため、略三角形にプレスで打ち抜いた部分が残余の部分から離脱し難く、作業者がその打ち抜いた部分を手でむしり取る必要がある。
【０００５】
顔面への密着性の観点からも、上記特許文献１に記載された美容マスクは改善すべき余地がある。第一の引張体と第二の引張体との間には、略三角形の隙間ができるため、第二の引張体を第一の引張体に重ねるためには、その略三角形の隙間を覆う程度に第二の引張体を第一の引張体側に引き寄せる必要がある。しかしながら、使用者の顔の大きさはまちまちであり、その顔の凹凸具合も人それぞれであるから、第一の引張体と第二の引張体との間に隙間ができる可能性がある。この隙間を生じさせないように、第一の引張体に対する第二の引張体の可動域を広げるため、第一の引張体と第二の引張体との間の切込み部を、より内側まで形成することも考えられる。しかしながら、切込み部をあまりに内側まで形成すると、その切込み部を延長した領域を引き上げる効果が弱くなるおそれがある。
【０００６】
本発明はこのような課題に鑑みてなされたものであり、その目的は、顔面に接触し顔面の一部を覆うための美容マスクであって、顔に装着したときに隙間が発生しにくいと共にリフトアップ効果も確実に生じさせることができ、生産性も高いものとすることができる美容マスクを提供することにある。
【課題を解決するための手段】
【０００７】
上記課題を解決するために本発明に係る美容マスクは、顔面に接触し顔面の一部を覆うための美容マスクであって、鼻側における顔面の一部を覆って耳側に引っ張る上側当接部と、口側における顔面の一部を覆って耳側に引っ張る下側当接部と、を有するシート状基材を備える。前記上側当接部及び前記下側当接部のそれぞれには、耳に掛けてこの美容マスクを顔面に保持するための固定部が設けられている。前記上側当接部と前記下側当接部とは、前記シート状基材を一方の耳側外縁側から内側に向かって切断して形成される一側切断部と、前記シート状基材を他方の耳側外縁側から内側に向かって切断して形成される他側切断部とによって区切られており、未使用時においては前記一側切断部の両側が互いに当接すると共に、前記他側切断部の両側が互いに当接するように構成されている。前記一側切断部及び前記他側切断部は、前記耳側外縁側から内側に向かって、鼻側から口側に下側傾斜するように形成される下降切断部と、前記下降切断部の内側末端に繋がり口側から鼻側に向かって上側に折り返すように形成される上昇切断部とを有する。
【０００８】
本発明によれば、上側当接部と下側当接部とを設け、それらを一側切断部及び他側切断部によって分離しているので、それぞれが当接する顔面の形状に合わせてより確実に密着させることができる。また、一側切断部及び他側切断部は、未使用時においては一側切断部の両側が互いに当接すると共に、他側切断部の両側が互いに当接するように構成されている。このように構成することで、シート状基材を線状に切断するのみで一側切断部及び他側切断部を形成することができ、不要部分を手でむしり取るといった追加作業を行う必要がなくなり、生産性を向上させることができる。更に、一側切断部及び他側切断部は、耳側外縁側から内側に向かって、鼻側から口側に下側傾斜するように形成される下降切断部と、下降切断部の内側末端に繋がり口側から鼻側に向かって上側に折り返すように形成される上昇切断部とを有している。このように一側切断部及び他側切断部を形成することで、下側当接部の外縁から一側切断部及び他側切断部の切り込み端までの直線距離を確保することができ、過度に内側まで切り込まずに下側当接部の可動域を広げることができる。更に、上側当接部は下に凸となるように形成され、下側当接部はその凸となる部分を覆うように配置されるので、上側当接部と下側当接部との間に隙間を生じさせることなく顔面に密着させることができる。
【０００９】
また本発明に係る美容マスクは、前記縦方向に直交する横方向に対して、前記下降切断部が成す角度は、１０度〜５０度であることも好ましい。
【００１０】
横方向に対する下降切断部の成す角度を１０度以上とすることで、下側当接部の可動域を確保することができる。更に、横方向に対する下降切断部の成す角度を５０度以下とすることで、下降切断部を固定部に近づけすぎることなく固定部との間に十分な距離を確保することができ、美容マスクの耐久性を高めることができる。尚、下降切断部は、直線状に形成されていても、部分的若しくは全体的に湾曲していても、部分的若しくは全体的に屈曲していても、それらの形態要素を組み合わせた態様であっても構わないものであり、全体として鼻側から口側に向けて下降するように形成され、その全体の傾斜角度が上述したものであることが好ましいものである。下降傾斜部の全体の傾斜角度とは、下降傾斜部が直線状であればその直線と横方向との成す角度であり、下降傾斜部が直線状でなければ、例えば下降傾斜部との間で囲まれる面積がその両側で略均等となるような基準直線と横方向との成す角度であり、例えば耳側外縁と下降傾斜部との交点と下降傾斜部の内側終点とを結んだ基準直線と横方向との成す角度である。
【００１１】
また本発明に係る美容マスクでは、前記鼻側から前記口側に向かう縦方向に対して、前記上昇切断部が成す角度は、０度〜６０度であることも好ましい。
【００１２】
このように縦方向に対する上昇切断部の成す角度を調整することで、下側当接部の外縁から一側切断部及び他側切断部の切り込み端までの直線距離をより確保することができ、過度に内側まで切り込まずに下側当接部の可動域を広げることができる。尚、上昇切断部は、直線状に形成されていても、部分的若しくは全体的に湾曲していても、部分的若しくは全体的に屈曲していても、それらの形態要素を組み合わせた態様であっても構わないものであり、全体として口側から鼻側に向けて上昇するように形成され、その全体の傾斜角度が上述したものであることが好ましいものである。上昇切断部の全体の傾斜角度とは、上昇傾斜部が直線状であればその直線と縦方向との成す角度であり、上昇傾斜部が直線状でなければ、例えば上昇傾斜部との間で囲まれる面積がその両側で略均等となるような基準直線と縦方向との成す角度であり、例えば上昇傾斜部の両端点を結んだ基準直線と縦方向との成す角度である。
【００１３】
また本発明に係る美容マスクでは、前記縦方向に対して、前記上昇切断部が略平行となるように形成されていることも好ましい。
【００１４】
このように縦方向に対して上昇切断部が略平行となるように構成することで、下側当接部の外縁から一側切断部及び他側切断部の切り込み端までの直線距離を確実に確保することができ、過度に内側まで切り込まずに下側当接部の可動域を広げることができる。
【００１５】
また本発明に係る美容マスクでは、前記一側切断部の前記耳側外縁に至る部分の両側、及び前記他側切断部の前記耳側外縁に至る部分の両側が、それぞれ部分的に繋がるように形成されていることも好ましい。
【００１６】
この好ましい態様では、一側切断部及び他側切断部の耳側外縁に至る部分を部分的に繋いでいるので、使用者が実際に顔面に密着させて使用するまで一側切断部及び他側切断部それぞれの両側を互いに当接させたままとすることができ、例えば包装時に折畳む場合の取り扱い性を向上させることができる。
【発明の効果】
【００１７】
本発明によれば、顔面に接触し顔面の一部を覆うための美容マスクであって、耳に掛けた時の装着感が良く、生産性も高いものとすることができ、耳掛け部における破損が起きにくい美容マスクを提供することができる。
【図面の簡単な説明】
【００１８】
【図１】本発明の実施形態に係る美容マスクの平面図である。
【図２】図１に示す美容マスクの装着方法を説明するための図である。
【図３】図１に示す美容マスクの装着方法を説明するための図である。
【図４】図１に示す美容マスクの装着方法を説明するための図である。
【図５】図１に示す美容マスクの装着方法を説明するための図である。
【発明を実施するための形態】
【００１９】
以下、添付図面を参照しながら本発明の実施の形態について説明する。説明の理解を容易にするため、各図面において同一の構成要素に対しては可能な限り同一の符号を付して、重複する説明は省略する。
【００２０】
図１を参照しながら本発明の実施形態に係る美容マスクについて説明する。図１は、実施形態としての美容マスクＭを示す平面図である。図１においては、美容マスクＭの略中央である鼻切断部５０と口切断部５１とを通る垂直基準線ＣＶＬと、垂直基準線ＣＶＬに直交し鼻切断部５０を通る水平基準線ＣＨＬを便宜上設定し、各部の傾斜度合いを説明する際に用いるものとする。
【００２１】
美容マスクＭは、顔面に接触し顔面の一部を覆うための美容マスクであって、シート状基材１０を備える。シート状基材１０は、伸縮層を構成する不織布と、保持層を構成する不織布とを貼り合わせて構成されている。伸縮層を構成する不織布は、メルトブローやスパンボンドといった直接紡糸法で製造されるなど、公知の製造方法によって得られるものであって、繊維配向がランダムな不織布である。保持層を構成する不織布は、スパンレース、サーマルボンド、ニードルパンチといった公知の製造方法によって得られるものであって、繊維配向は垂直基準線ＣＶＬに沿ったものとなっている。シート状基材１０は、不織布に限らず、織物や編物、フィルムシートなどを用いて構成してもよい。また、シート状基材１０を構成する層は伸縮層と保持層が１層ずつでなくてもよい。例えば、伸縮層と、保持層と、更に伸縮層とを重ねる３層構造でもよい。
【００２２】
本発明の美容マスクＭの使用時における引張方向への３０％伸長時の伸長回復率は、好ましくは３０〜１００％であり、特に好ましくは５０〜１００％である。尚、美容マスクＭの伸長回復率は、ＪＩＳ Ｌ１０９６に規定された一般織物試験方法に従い、以下の手順により測定した。
【００２３】
まず、シート状基材１０から幅２５ｍｍ、長さ２００ｍｍの試験片を裁断して、これを測定用サンプルとした。当該試験片を、引張試験機オートグラフＡＧ-Ｇ（商品名、(株)島津製作所製）に対し、チャック間の距離（引張試験機の固定具間に挟まれた試験片の長さ）を１００ｍｍに設定して固定した。このとき、試験片は、美容マスクＭを顔面Ｆに密着させる際に引っ張られる方向が、引張試験機で引っ張られる方向と一致するように固定した。
【００２４】
引張試験機による試験を開始し、試験片を引張速度３００ｍｍ／分で３０ｍｍ（チャック間の長さである１００ｍｍの３０％の長さ）伸長させた後、同じ速度で元のチャック間の距離（１００ｍｍ）まで戻した。その直後、再び同じ引張速度で試験片を伸長させ、引張試験機が再び負荷を検出し始めた時点における伸長した長さ（その時点におけるチャック間の距離から、元の長さである１００ｍｍを差し引いた長さ）を測定した。このときの測定値をΔＬ（ｍｍ）として、伸長回復率は下記式に従って求めた。尚、式中の「３０」は、試験片を一回目の伸長の際に伸長させた長さ（ｍｍ）である。
３０％伸長時の伸長回復率（％）＝｛（３０−ΔＬ）／３０｝×１００
【００２５】
シート状基材１０の材質は、スチレン系エラストマー繊維、オレフィン系エラストマー繊維、エステル系エラストマー繊維、ウレタン系エラストマー繊維などのエラストマー繊維、コットン、麻などのセルロース繊維、ウール、シルク、レーヨン、キュプラ、パルプ及びセルロース等を用いて作られる半合成繊維ならびにポリエチレン、ポリエステル、ポリビニルアルコール、ポリプロピレン、ナイロン、アクリル、ポリウレタン、アセテート、セロファン、ビニロン、塩化ビニル等合成繊維に親水化処理を施したものを含む繊維を用いる事ができる。伸縮層としては、スチレン系エラストマー繊維、オレフィン系エラストマー繊維、エステル系エラストマー繊維、ウレタン系エラストマー繊維などのエラストマー繊維を含む事がより好ましく、これらの２種以上を用いてもよい。保持層としては、コットン、麻などのセルロース繊維、ウール、シルク、レーヨン、キュプラ、パルプ及びセルロース等を用いて作られる半合成繊維ならびに合成繊維に親水化処理を施したものなどを含む事がより好ましく、これらの２種以上を用いてもよい。
【００２６】
不織布の目付は特に限定されないが、例えば、３０〜２５０ｇ／ｍ2が好ましく、使用性の観点から、５０〜１５０ｇ／ｍ2がより好ましい。目付が３０ｇ／ｍ2未満であると、含浸させ得る化粧料の絶対量が少なくなると共に、手で持ったときの感じが軟弱となり、装着時の取り扱いが悪くなるおそれがある。加えて、弾力性が小さくなることに起因して、装着時に良好な着け心地を得られないことがある。目付が２５０ｇ／ｍ2を超えると、厚くなりすぎて、装着する際に撚れやしわの発生なく密着させることが難しくなると共に、コスト高となる。
【００２７】
シート状基材１０の厚さは、シート状基材１０の材質や、使用性等を勘案して決定できる。例えば、シート状基材１０の厚さは、０．２〜３．０ｍｍが好ましく、０．３〜１．０ｍｍがより好ましい。上記範囲内であれば、美容マスクＭに必要な強度が維持されると共に、美容マスクＭの装着が容易である。美容マスクＭの横方向（水平基準線ＣＨＬと平行方向）の長さは、シート状基材１０の材質等を勘案して決定することができ、例えば、１５０〜３００ｍｍの範囲とされる。美容マスクＭの縦方向方向（垂直基準線ＣＶＬと平行方向）の長さは、シート状基材１０の材質等を勘案して決定することができ、例えば、１００〜２００ｍｍの範囲とされる。
【００２８】
シート状基材１０は、上方の縁部である上側外縁２０１と、下方の縁部である下側外縁３０１とを有する。上側外縁２０１と下側外縁３０１とは、一方の耳側に位置する耳側外縁２１１及び耳側外縁３１１と、他方の耳側に位置する耳側外縁２２１及び耳側外縁３２１とによって繋がれている。耳側外縁２１１は耳側外縁３１１よりも図中上方に位置する外縁部であり、耳側外縁２２１は、耳側外縁３２１よりも図中上方に位置する外縁部である。
【００２９】
シート状基材１０の略中央には、鼻当接部５０Ａを構成する鼻切断部５０と、口当接部５１Ａを構成する口切断部５１とが形成されている。鼻切断部５０及び口切断部５１は、シート状基材１０を切断して形成されるものである。
【００３０】
シート状基材１０は、鼻側における顔面の一部を覆って耳側に引っ張る上側当接部２０と、口側における顔面の一部を覆って耳側に引っ張る下側当接部３０と、を有する。上側当接部２０には、耳に掛けてこの美容マスクＭを顔面に保持するための一側固定部２１及び他側固定部２２が設けられている。下側当接部３０には、耳に掛けてこの美容マスクＭを顔面に保持するための一側固定部３１及び他側固定部３２が設けられている。
【００３１】
上側当接部２０と下側当接部３０とは、シート状基材１０を一方の耳側外縁２１１，３１１側から内側に向かって切断して形成される一側切断部４０と、シート状基材１０を他方の耳側外縁側２２１，３２１から内側に向かって切断して形成される他側切断部４１とによって区切られている。未使用時においては一側切断部４０の両側が互いに当接すると共に、他側切断部４１の両側が互いに当接するように構成されている。
【００３２】
一側切断部４０は、下降切断部４０１と、上昇切断部４０２と、湾曲切断部４０３と、部分接続部４０４とを有している。下降切断部４０１は、耳側外縁２１１，３１１側から内側に向かって、鼻側から口側に下降傾斜するように設けられている。換言すれば、下降切断部４０１は、両耳に相当する部分を結ぶ線と平行な水平基準線ＣＨＬに対して、耳側外縁２１１，３１１側から所定角度を成して徐々に離隔するように構成されている。この所定角度は、１０度〜５０度であることが好ましく、２０度〜４０度であることがより好ましい。水平基準線ＣＨＬに対する下降切断部４０１の成す角度である所定角度を１０度以上若しくは２０度以上とすることで、下側当接部３０の可動域を確保することができる。更に、水平基準線ＣＨＬに対する下降切断部４０１の成す角度を４０度以下若しくは５０度以下とすることで、下降切断部４０１を一側固定部３１の主切断部３１４に近づけすぎることなく、主切断部３１４との間に十分な距離を確保することができ、美容マスクＭの耐久性を高めることができる。
【００３３】
尚、本実施形態では下降切断部４０１を直線状に形成したけれども、下降切断部４０１の好ましい態様はこれに限られるものではない。下降切断部４０１は、例えば、部分的若しくは全体的に湾曲していても、部分的若しくは全体的に屈曲していても、それらの形態要素を組み合わせた態様であっても構わないものであり、全体として鼻側から口側に向けて下降するように形成され、その全体の傾斜角度が上述したものであることが好ましいものである。下降傾斜部４０１の全体の傾斜角度とは、本実施形態のように下降傾斜部４０１が直線状であればその直線と横方向である水平基準線ＣＨＬとの成す角度であり、下降傾斜部４０１が直線状でなければ、例えば下降傾斜部４０１との間で囲まれる面積がその両側で略均等となるような基準直線と水平基準線ＣＨＬとの成す角度であり、例えば耳側外縁２１１，３１１と下降傾斜部４０１との交点と下降傾斜部４０１の内側終点（湾曲切断部４０３と繋がる点）とを結んだ基準直線と水平基準線ＣＨＬとの成す角度である。
【００３４】
上昇切断部４０２は、湾曲切断部４０３を介して下降切断部４０１と繋がっている部分である。上昇切断部４０２は、垂直基準線ＣＶＬに沿って、口側から鼻側に上向きに形成されている。従って、一側切断部４０は、耳側外縁２１１，３１１側から内側に向かって、鼻側から口側に下側傾斜するように設けられており、内側末端は口側から鼻側に向かって上側に折り返すように形成されている。垂直基準線ＣＶＬに対して上昇切断部４０２が成す角度は、図１に示したように０度、すなわち垂直基準線ＣＶＬと上昇切断部４０２とが互いに平行であることが好ましいものである。尤も、垂直基準線ＣＶＬと上昇切断部４０２とが成す角度はこれに限られるものではなく、その角度は０度〜６０度であることが好ましく、０度〜４５度であることがより好ましく、０度であることが最も好ましい。
【００３５】
尚、本実施形態では上昇切断部４０２を直線状に形成したけれども、上昇切断部４０２の好ましい態様はこれに限られるものではない。上昇切断部４０２は、例えば、部分的若しくは全体的に湾曲していても、部分的若しくは全体的に屈曲していても、それらの形態要素を組み合わせた態様であっても構わないものであり、全体として口側から鼻側に向けて上昇するように形成され、その全体の傾斜角度が上述したものであることが好ましいものである。上昇切断部４０２の全体の傾斜角度とは、上昇傾斜部４０２が直線状であればその直線と縦方向である垂直基準線ＣＶＬとの成す角度であり、上昇傾斜部４０２が直線状でなければ、例えば上昇傾斜部４０２との間で囲まれる面積がその両側で略均等となるような基準直線と垂直基準線ＣＶＬとの成す角度であり、例えば上昇傾斜部４０２の両端点（湾曲切断部４０３と繋がる点と、その反対側の端点）を結んだ基準直線と垂直基準線ＣＶＬとの成す角度である。
【００３６】
部分接続部４０４は、下降切断部４０１の耳側外縁２１１，３１１側を繋ぐように設けられた部分である。従って、一側切断部４０の耳側外縁２１１，３１１に至る部分の両側が部分的に繋がるように形成されている。
【００３７】
他側切断部４１は、下降切断部４１１と、上昇切断部４１２と、湾曲切断部４１３と、部分接続部４１４とを有している。下降切断部４１１は、耳側外縁２２１，３２１側から内側に向かって、鼻側から口側に下降傾斜するように設けられている。換言すれば、下降切断部４１１は、両耳に相当する部分を結ぶ線と平行な水平基準線ＣＨＬに対して、耳側外縁２２１，３２１側から所定角度を成して徐々に離隔するように構成されている。この所定角度は、１０度〜５０度であることが好ましく、２０度〜４０度であることがより好ましい。水平基準線ＣＨＬに対する下降切断部４１１の成す角度である所定角度を１０度以上若しくは２０度以上とすることで、下側当接部３０の可動域を確保することができる。更に、水平基準線ＣＨＬに対する下降切断部４１１の成す角度を４０度以下若しくは５０度以下とすることで、下降切断部４１１を他側固定部３２の主切断部３２４に近づけすぎることなく、主切断部３２４との間に十分な距離を確保することができ、美容マスクＭの耐久性を高めることができる。
【００３８】
尚、本実施形態では下降切断部４１１を直線状に形成したけれども、下降切断部４１１の好ましい態様はこれに限られるものではない。下降切断部４１１は、例えば、部分的若しくは全体的に湾曲していても、部分的若しくは全体的に屈曲していても、それらの形態要素を組み合わせた態様であっても構わないものであり、全体として鼻側から口側に向けて下降するように形成され、その全体の傾斜角度が上述したものであることが好ましいものである。下降傾斜部４１１の全体の傾斜角度とは、本実施形態のように下降傾斜部４１１が直線状であればその直線と横方向である水平基準線ＣＨＬとの成す角度であり、下降傾斜部４１１が直線状でなければ、例えば下降傾斜部４１１との間で囲まれる面積がその両側で略均等となるような基準直線と水平基準線ＣＨＬとの成す角度であり、例えば耳側外縁２２１，３２１と下降傾斜部４１１との交点と下降傾斜部４１１の内側終点（湾曲切断部４１３と繋がる点）とを結んだ基準直線と水平基準線ＣＨＬとの成す角度である。
【００３９】
上昇切断部４１２は、湾曲切断部４１３を介して下降切断部４１１と繋がっている部分である。上昇切断部４１２は、垂直基準線ＣＶＬに沿って、口側から鼻側に上向きに形成されている。従って、他側切断部４１は、耳側外縁２２１，３２１側から内側に向かって、鼻側から口側に下側傾斜するように設けられており、内側末端は口側から鼻側に向かって上側に折り返すように形成されている。垂直基準線ＣＶＬに対して上昇切断部４１２が成す角度は、図１に示したように０度、すなわち垂直基準線ＣＶＬと上昇切断部４１２とが互いに平行であることが好ましいものである。尤も、垂直基準線ＣＶＬと上昇切断部４１２とが成す角度はこれに限られるものではなく、その角度は０度〜６０度であることが好ましく、０度〜４５度であることがより好ましく、０度であることが最も好ましい。
【００４０】
尚、本実施形態では上昇切断部４１２を直線状に形成したけれども、上昇切断部４１２の好ましい態様はこれに限られるものではない。上昇切断部４１２は、例えば、部分的若しくは全体的に湾曲していても、部分的若しくは全体的に屈曲していても、それらの形態要素を組み合わせた態様であっても構わないものであり、全体として口側から鼻側に向けて上昇するように形成され、その全体の傾斜角度が上述したものであることが好ましいものである。上昇切断部４１２の全体の傾斜角度とは、上昇傾斜部４１２が直線状であればその直線と縦方向である垂直基準線ＣＶＬとの成す角度であり、上昇傾斜部４１２が直線状でなければ、例えば上昇傾斜部４１２との間で囲まれる面積がその両側で略均等となるような基準直線と垂直基準線ＣＶＬとの成す角度であり、例えば上昇傾斜部４１２の両端点（湾曲切断部４１３と繋がる点と、その反対側の端点）を結んだ基準直線と垂直基準線ＣＶＬとの成す角度である。
【００４１】
部分接続部４１４は、下降切断部４１１の耳側外縁２２１，３２１側を繋ぐように設けられた部分である。従って、他側切断部４１の耳側外縁２２１，３２１に至る部分の両側が部分的に繋がるように形成されている。
【００４２】
シート状基材１０は、鼻に当接する鼻当接部５０Ａ及び口に当接する口当接部５１Ａを含む上側中央部２０Ａと、この上側中央部２０Ａを挟んで一方の頬に当接する上側一側部２０Ｂ及び他方の頬に当接する上側他側部２０Ｃと、を有する。上側一側部２０Ｂには、耳に掛けてこの美容マスクを顔面に保持するための一側固定部２１が設けられている。上側他側部２０Ｃには、耳に掛けてこの美容マスクを顔面に保持するための他側固定部２２が設けられている。
【００４３】
一側固定部２１は、鼻当接部５０Ａから口当接部５１Ａに向かう縦方向（垂直基準線ＣＶＬが延びる方向）に略沿ってシート状基材１０を線状に切断して形成される主切断部２１４と、主切断部２１４の両端において主切断部２１４と接するようにシート状基材１０を切断して形成される副切断部２１５，２１６と、を有する。未使用時においては主切断部２１４の両側が互いに当接するように構成される。副切断部２１５，２１６は主切断部２１４側から外に凸となる湾曲線を成すように形成されると共に、未使用時においてはその両側が互いに当接してなる。尚、主切断部２１４は、直線状に形成されていても、部分的若しくは全体的に湾曲していても、部分的若しくは全体的に屈曲していても、それらの形態要素を組み合わせた態様であっても構わないものであり、全体として縦方向（垂直基準線ＣＶＬが延びる方向）に沿うように形成されるものである。
【００４４】
他側固定部２２は、鼻当接部５０Ａから口当接部５１Ａに向かう縦方向（垂直基準線ＣＶＬが延びる方向）に略沿ってシート状基材１０を線状に切断して形成される主切断部２２４と、主切断部２２４の両端において主切断部２２４と接するようにシート状基材１０を切断して形成される副切断部２２５，２２６と、を有する。未使用時においては主切断部２２４の両側が互いに当接するように構成される。副切断部２２５，２２６は主切断部２２４側から外に凸となる湾曲線を成すように形成されると共に、未使用時においてはその両側が互いに当接してなる。尚、主切断部２２４は、直線状に形成されていても、部分的若しくは全体的に湾曲していても、部分的若しくは全体的に屈曲していても、それらの形態要素を組み合わせた態様であっても構わないものであり、全体として縦方向（垂直基準線ＣＶＬが延びる方向）に沿うように形成されるものである。
【００４５】
主切断部２１４，２２４は、鼻当接部５０Ａ側の上端部（副切断部２１５，２２５側端部）が、口当接部５１Ａ側の下端部（副切断部２１６，２２６側端部）よりもシート状基材１０の外縁側に位置するように縦方向（垂直基準線ＣＶＬが延びる方向）に対して傾斜して形成されている。上側主切断部である主切断部２１４，２２４が縦方向（垂直基準線ＣＶＬが延びる方向）に対して成す角度は０度〜１５度であることが好ましい。このように主切断部２１４，２２４の全体の傾斜角度を調整することで、美容マスクＭの顔面への密着性及び装着性をより向上することができる。主切断部２１４，２２４の全体の傾斜角度とは、主切断部２１４，２２４が直線状であればその直線と縦方向（垂直基準線ＣＶＬが延びる方向）との成す角度であり、主切断部２１４，２２４が直線状でなければ、例えば主切断部２１４，２２４との間で囲まれる面積がその両側で略均等となるような基準直線と縦方向との成す角度であり、例えば主切断部２１４，２２４の両端点を結んだ基準直線と縦方向との成す角度である。
【００４６】
一側固定部２１は、主切断部２１４からシート状基材１０の内側に延びる補助切断部２１７を有し、補助切断部２１７は、シート状基材１０を線状且つ断続的に切断して形成されている。補助切断部２１７は、主切断部２１４の中央近傍に垂直に繋がるように形成されており、主切断部２１４の中央近傍からシート状機材１０の内側に延びるように形成されている。他側固定部２２は、主切断部２２４からシート状基材１０の内側に延びる補助切断部２２７を有し、補助切断部２２７は、シート状基材１０を線状且つ断続的に切断して形成されている。補助切断部２２７は、主切断部２２４の中央近傍に垂直に繋がるように形成されており、主切断部２２４の中央近傍からシート状機材１０の内側に延びるように形成されている。
【００４７】
また本実施形態では、一側部として、上述した鼻当接部５０Ａ側に形成された上側一側部２０Ｂと、口当接部５１Ａ側に形成された下側一側部３０Ｂとが形成されている。他側部としては、上述した鼻当接部５０Ａ側に形成された上側他側部２０Ｃと、口当接部５１Ａ側に形成された下側他側部３０Ｃとが形成されている。下側一側部３０Ｂと下側他側部３０Ｃとの間には、中央部として下側中央部３０Ａが形成されている。
【００４８】
下側一側部３０Ｂには、耳に掛けてこの美容マスクを顔面に保持するための一側固定部３１が設けられている。下側他側部３０Ｃには、耳に掛けてこの美容マスクを顔面に保持するための他側固定部３２が設けられている。
【００４９】
一側固定部３１は、鼻当接部５０Ａから口当接部５１Ａに向かう縦方向（垂直基準線ＣＶＬが延びる方向）に略沿ってシート状基材１０を線状に切断して形成される主切断部３１４と、主切断部３１４の両端において主切断部３１４と接するようにシート状基材１０を切断して形成される副切断部３１５，３１６と、を有する。未使用時においては主切断部３１４の両側が互いに当接するように構成される。副切断部３１５，３１６は主切断部３１４側から外に凸となる湾曲線を成すように形成されると共に、未使用時においてはその両側が互いに当接してなる。尚、主切断部３１４は、直線状に形成されていても、部分的若しくは全体的に湾曲していても、部分的若しくは全体的に屈曲していても、それらの形態要素を組み合わせた態様であっても構わないものであり、全体として縦方向（垂直基準線ＣＶＬが延びる方向）に沿うように形成されるものである。
【００５０】
他側固定部３２は、鼻当接部５０Ａから口当接部５１Ａに向かう縦方向（垂直基準線ＣＶＬが延びる方向）に略沿ってシート状基材１０を線状に切断して形成される主切断部３２４と、主切断部３２４の両端において主切断部３２４と接するようにシート状基材１０を切断して形成される副切断部３２５，３２６と、を有する。未使用時においては主切断部３２４の両側が互いに当接するように構成される。副切断部３２５，３２６は主切断部３２４側から外に凸となる湾曲線を成すように形成されると共に、未使用時においてはその両側が互いに当接してなる。尚、主切断部３２４は、直線状に形成されていても、部分的若しくは全体的に湾曲していても、部分的若しくは全体的に屈曲していても、それらの形態要素を組み合わせた態様であっても構わないものであり、全体として縦方向（垂直基準線ＣＶＬが延びる方向）に沿うように形成されるものである。
【００５１】
主切断部３１４，３２４は、鼻当接部５０Ａ側の上端部（副切断部３１５，３２５側端部）が、口当接部５１Ａ側の下端部（副切断部３１６，３２６側端部）よりもシート状基材１０の外縁側に位置するように縦方向（垂直基準線ＣＶＬが延びる方向）に対して傾斜して形成されている。下側主切断部である主切断部３１４，３２４が縦方向（垂直基準線ＣＶＬが延びる方向）に対して成す角度は１０度〜３５度であることも好ましい。このように主切断部３１４，３２４の全体の傾斜角度を調整することで、美容マスクＭの顔面への密着性及び装着性をより向上することができる。主切断部３１４，３２４の全体の傾斜角度とは、主切断部３１４，３２４が直線状であればその直線と縦方向（垂直基準線ＣＶＬが延びる方向）との成す角度であり、主切断部３１４，３２４が直線状でなければ、例えば主切断部３１４，３２４との間で囲まれる面積がその両側で略均等となるような基準直線と縦方向との成す角度であり、例えば主切断部３１４，３２４の両端点を結んだ基準直線と縦方向との成す角度である。
【００５２】
一側固定部３１は、主切断部３１４からシート状基材１０の内側に延びる補助切断部３１７を有し、補助切断部３１７は、シート状基材１０を線状且つ断続的に切断して形成されている。補助切断部３１７は、主切断部３１４の中央近傍に垂直に繋がるように形成されており、主切断部３１４の中央近傍からシート状機材１０の内側に延びるように形成されている。他側固定部３２は、主切断部３２４からシート状基材１０の内側に延びる補助切断部３２７を有し、補助切断部３２７は、シート状基材１０を線状且つ断続的に切断して形成されている。補助切断部３２７は、主切断部３２４の中央近傍に垂直に繋がるように形成されており、主切断部３２４の中央近傍からシート状機材１０の内側に延びるように形成されている。
【００５３】
また本実施形態では、上側一側部２０Ｂ及び上側他側部２０Ｃに形成されている上側の主切断部２１４，２２４は、鼻当接部５０Ａ側の上端部が、口当接部５１Ａ側の下端部よりもシート状基材１０の外縁側に位置するように縦方向に対して傾斜して形成されている。また、下側一側部３０Ｂ及び下側他側部３０Ｃに形成されている下側の主切断部３１４，３２４は、鼻当接部５０Ａ側の上端部が、口当接部５１Ａ側の下端部よりもシート状基材１０の外縁側に位置するように縦方向に対して傾斜して形成されている。そして本実施形態では、上側の主切断部２１４，２２４よりも下側の主切断部３１４，３２４がより外縁側に傾斜するように形成されている。具体的には、主切断部２１４，２２４が垂直基準線ＣＶＬに対して成す角度は０度〜１５度であり、主切断部３１４，３２４が垂直基準線ＣＶＬに対して成す角度は１０度〜３５度である。
【００５４】
続いて、図２，図３，図４，図５を参照しながら、美容マスクＭの装着方法について説明する。図２〜図５は、美容マスクの装着方法を説明するための図である。まず、図２に示すように、美容マスクＭを顔面Ｆに当接させる。具体的には、左手ＬＨで上側中央部２０Ａを押さえ、右手ＲＨで上側他側部２０Ｃを引き伸ばし、顔面Ｆに密着させる。続いて、図３に示すように、右手ＲＨで他側固定部２２を耳Ｅに掛けて固定する。更に、図４に示すように、左手ＬＨで下側中央部３０Ａを押さえ、右手ＲＨで下側他側部３０Ｃを引き伸ばし、顔面Ｆに密着させる。最後に、図５に示すように、他側固定部３２を耳Ｅに掛けて固定する。
【００５５】
上述した本実施形態によれば、一側固定部２１，３１及び他側固定部２２，３２が、縦方向に沿ってシート状基材１０を線状に切断して形成されているので、縦長の耳に沿った形態とすることができ、耳に掛けたときの装着感を高めることができる。一側固定部２１，３１及び他側固定部２２，３２は、耳に掛ける主たる部分である主切断部２１４，２２４，３１４，３２４を有しており、主切断部２１４，２２４，３１４，３２４は未使用時においてその両側が互いに当接するように構成されている。このように構成することで、シート状基材１０を線状に切断するのみで主切断部２１４，２２４，３１４，３２４を形成することができ、不要部分を手でむしり取るといった追加作業を行う必要がなくなり、生産性を向上させることができる。
【００５６】
更に本実施形態では、主切断部２１４，２２４，３１４，３２４の両端に副切断部２１５，２１６，２２５，２２６，３１５，３１６，３２５，３２６を形成しており、副切断部２１５，２１６，２２５，２２６，３１５，３１６，３２５，３２６は主切断部２１４，２２４，３１４，３２４側から外に凸となる湾曲線を成すように形成されている。このように主切断部２１４，２２４，３１４，３２４と副切断部２１５，２１６，２２５，２２６，３１５，３１６，３２５，３２６とを構成することで、主切断部２１４，２２４，３１４，３２４が延びる方向に沿ったき裂の進展を副切断部２１５，２１６，２２５，２２６，３１５，３１６，３２５，３２６が緩和し、装着時における一側固定部２１，３１及び他側固定部２２，３２の破損を抑制できる。
【００５７】
本実施形態では、シート状基材１０を構成する保持層の繊維配向が垂直基準線ＣＶＬに沿うように構成されている。そのため、美容マスクＭは幅方向（水平基準線ＣＨＬに略沿った方向）へ力を加えると、保持層を構成する複数の繊維を互いに引き離す方向に力が加わるので、繊維の沿った方向へ力を加える場合よりも伸縮しやすく、使用感がよいものとなっている。一方、このような繊維配向にすると、主切断部２１４，２２４，３１４，３２４が繊維に沿った方向に配置されることになり、上述したように主切断部２１４，２２４，３１４，３２４の端部からき裂が進展しやすくなる。そこで、副切断部２１５，２１６，２２５，２２６，３１５，３１６，３２５，３２６を、保持層の繊維配向と交わるように配置すると共に、主切断部２１４，２２４，３１４，３２４側から加わる力を湾曲部の内側で受け止めるような形態としているので、き裂の進展抑制により効果を発揮するものとなっている。
【００５８】
また本実施形態では、主切断部２１４，２２４，３１４，３２４をその上端部が下端部よりも外縁側に位置するように傾斜させているので、主切断部２１４，２２４，３１４，３２４を耳に掛けた場合にシート状基材１０を顔面により密着させることができる。
【００５９】
本実施形態では、主切断部２１４，２２４，３１４，３２４を、未使用時においてその両側が当接するように構成しているので、不要部分を手でむしり取る必要がなく、生産性を向上させることができるものとなっている。しかしながら、耳の大きさや形状は人それぞれであるため、場合によっては主切断部２１４，２２４，３１４，３２４を耳に掛けた場合に違和感を感じることが想定される。そこで本実施形態では、主切断部２１４，２２４，３１４，３２４から内側に延びる補助切断部２１７，２２７，３１７，３２７を設け、この補助切断部２１７，２２７，３１７，３２７を広げることで耳に掛けた場合の違和感を緩和している。更に、補助切断部２１７，２２７，３１７，３２７は、シート状基材１０を線状且つ断続的に切断して形成しているので、使用者が使用時に断続的に繋がっている部分を引き離せば所望の長さの補助切断部２１７，２２７，３１７，３２７を形成することができる。従って、製造時の手間を低減しつつ、使用者の要求に応じた長さの補助切断部２１７，２２７，３１７，３２７を提供することができる。
【００６０】
また本実施形態では、上側一側部２０Ｂ及び上側他側部２０Ｃと下側一側部３０Ｂ及び下側他側部３０Ｃとを形成し、それぞれに固定部を設け、一側固定部２１、他側固定部２２、一側固定部３１、他側固定部３２としているので、それぞれの固定部を耳に掛けて装着することで顔面の凹凸により追従させることができる。
【００６１】
また本実施形態では、上側の主切断部２１４，２２４よりも下側の主切断部３１４，３２４がより外縁側に傾斜するように形成されているので、上側の主切断部２１４，２２４と下側の主切断部３１４，３２４とを耳に掛けると、下側一側部３０Ｂ及び下側他側部３０Ｃが捩られ、特に下側一側部３０Ｂ及び下側他側部３０Ｃの下方である下側外縁３０１側がより引き上げられる。従って、上側の主切断部２１４，２２４と下側の主切断部３１４，３２４との傾斜角度を変えるという簡易な手法で、この美容マスクＭの下端が当接する領域の引き上げ効果を高めることができる。
【００６２】
本実施形態では、上側当接部２０と下側当接部３０とを設け、それらを一側切断部４０及び他側切断部４１によって分離しているので、それぞれが当接する顔面の形状に合わせてより確実に密着させることができる。また、一側切断部４０及び他側切断部４１は、未使用時においては一側切断部４０の両側が互いに当接すると共に、他側切断部４１の両側が互いに当接するように構成されている。このように構成することで、シート状基材１０を線状に切断するのみで一側切断部４０及び他側切断部４１を形成することができ、不要部分を手でむしり取るといった追加作業を行う必要がなくなり、生産性を向上させることができる。更に、一側切断部４０及び他側切断部４１は、下降切断部４０１及び下降切断部４１１が耳側外縁２１１，３１１，２２１，３２１側から内側に向かって、鼻側から口側に下側傾斜するように設けられており、それらの内側末端である上昇切断部４０２，４１２は口側から鼻側に向かって上側に折り返すように形成されている。このように一側切断部４０及び他側切断部４１を形成することで、下側当接部３０の外縁から一側切断部４０及び他側切断部４１の切り込み端までの直線距離を確保することができ、過度に内側まで切り込まずに下側当接部３０の可動域を広げることができる。また、上述したような不織布を採用し、このように一側切断部４０及び他側切断部４１を形成することで、予期せぬ方向への不織布の裂けを抑制することができる。更に、上側当接部２０は下に凸となるように形成され（図１の湾曲切断部４０３，４１３近傍参照）、下側当接部３０はその凸となる部分を覆うように配置されるので、上側当接部２０と下側当接部３０との間に隙間を生じさせることなく顔面に密着させることができる。
【００６３】
また本実施形態では、部分接続部４０４及び部分接続部４１４を形成することで、一側切断部４０及び他側切断部４１の耳側外縁２１１，３１１，２２１，３２１に至る部分を部分的に繋いでいるので、使用者が実際に顔面に密着させて使用するまで一側切断部４０及び他側切断部４１それぞれの両側を互いに当接させたままとすることができ、例えば包装時に折畳む場合の取り扱い性を向上させることができる。
【００６４】
本発明は以上のような実施形態に限定されるものではなく、例えばシート状基材１０に皮膚化粧料が含浸されていてもよい。シート状基材１０に皮膚化粧料が含浸されていることで、口囲、目尻、頬及び下顎の角質層の保湿効果により、肌に潤いと張りを与えることができる。加えて、皮膚化粧料によって美容用マスクＭと肌との密着性が増し、引き上げ効果を更に向上させることができる。含浸する皮膚化粧料としては、例えば、美容液、化粧水、乳液、クレンジング剤等が挙げられる。
【００６５】
皮膚化粧料の組成は、特に限定されないが、肌への密着性を高め、引き上げ効果を高める観点から、例えば、カルボキシビニルポリマー、アクリル酸・メタクリル酸アルキル共重合体、ポリアクリルアミド、（アクリル酸Ｎａ/アクリロイルジメチルタウリンＮａ）コポリマー、ポリアクリル酸及びその塩、ポリメタクリル酸及びその塩等のアクリル酸系高分子やポリビニルアルコール等の合成高分子を含有させることができる。
【００６６】
また、ゼラチン、コラーゲン等のタンパク質、ヒアルロン酸及びその塩、多糖類、キサンタンガム、コンドロイチン硫酸及びその塩、デキストリン、メチルセルロース、エチルセルロース、ヒドロキシエチルセルロース、ヒドロキシプロピルセルロース、ペクチン、ゲランガム、アルギン酸及びその塩、カラギーナン、カルボキシメチルキチン、キトサン、プルラン等の水溶性高分子を含有させてもよく、グリセリン、ジグリセリン、ソルビトール、キシリトール、マンニトール、ポリエチレングリコール、プロピレングリコール、ジプロピレングリコール、１，３−ブチレングリコール、１，４−ブチレングリコールなどの多価アルコールを含有させてもよい。ピロリドンカルボン酸ナトリウム、乳酸、乳酸ナトリウム等のカルボン酸塩類や、各種植物抽出物、セラミド、セラミド類似構造物等の細胞間脂質類などの保湿剤を含有させることも好ましい。皮膚化粧料の具体的な処方例を表１に示す。
【表１】
2014046067.tif 000003
【００６７】
シート状基材１０に含浸させる皮膚化粧料の量は、シート状基材１０の材質や皮膚化粧料の種類に応じて適宜決定される。例えば、シート状基材１０のうち皮膚化粧料を含浸させる部分（以下、含浸対象部）の質量（Ｃ）と、含浸させる皮膚化粧料の質量（Ｄ）との質量比（Ｄ／Ｃ）で表される含浸倍率が、３〜１５であることが好ましく、５〜１１であることがより好ましい。含浸倍率が３未満であると、皮膚化粧料の皮膚への浸透効果が十分に得られないおそれがある。一方、１５を超えると皮膚化粧料が垂れたり、使用時にシートが自重で剥がれたりする等、美容マスクＭの装着時の取り扱いに不都合が生じ、使用性が劣る場合がある。
【００６８】
また、シート状基材１０の一部にポケットを設け、当該ポケットに発熱体を保持させることにより、美容マスクＭを温熱マスクとして用いてもよい。このような発熱体としては、例えば、鉄粉、保水剤、酸化促進剤、金属塩、および少量の水を含有させた組成物を、通気性のある不織布の内部に収納したものを使用することができる。通気性のある不織布としては、例えば、ポリエステルやポリプレピレン、ナイロン、レーヨン、ポリオレフィンなどを用いることができる。
【００６９】
尚、上記のようにシート状基材１０に皮膚化粧料を含浸させたり、発熱体を収納したりした場合には、美容マスクＭの重量が増加することとなる。その結果、美容マスクＭの使用時においては、下降切断部４０１、４１１の内側端部近傍にかかる負担が大きくなってしまう。しかしながら、本発明に係る美容マスクＭでは、下降切断部４０１、４１１の内側末端において、それぞれ、口側から鼻側に向かって上側に折り返すように形成された上昇切断部４０２、４１２がそれぞれ形成されている。このため、上記のように重量が増加した美容マスクＭにおいても、下降切断部４０１、４１１の内側末端におけるき裂の発生が抑制される。
【符号の説明】
【００７０】
Ｍ：美容マスク
１０：シート状基材
ＣＶＬ：垂直基準線
ＣＨＬ：水平基準線
２０：上側当接部
２０Ａ：上側中央部
２０Ｂ：上側一側部
２０Ｃ：上側他側部
２０１：上側外縁
２１：一側固定部
２１１：耳側外縁
２１４：主切断部
２１５：副切断部
２１６：副切断部
２１７：補助切断部
２２：他側固定部
２２１：耳側外縁
２２４：主切断部
２２５：副切断部
２２６：副切断部
２２７：補助切断部
３０：下側当接部
３０Ａ：下側中央部
３０Ｂ：下側一側部
３０Ｃ：下側他側部
３１：一側固定部
３１１：耳側外縁
３１４：主切断部
３１５：副切断部
３１６：副切断部
３１７：補助切断部
３２：他側固定部
３２１：耳側外縁
３２４：主切断部
３２５：副切断部
３２６：副切断部
３２７：補助切断部
４０：一側切断部
４０１：下降切断部
４０２：上昇切断部
４０３：湾曲切断部
４０４：部分接続部
４１：他側切断部
４１１：下降切断部
４１２：上昇切断部
４１３：湾曲切断部
４１４：部分接続部
５０：鼻切断部
５０Ａ：鼻当接部
５１：口切断部
５１Ａ：口当接部
【図１】
2014046067.tif 000004
【図２】
2014046067.tif 000005
【図３】
2014046067.tif 000006
【図４】
2014046067.tif 000007
【図５】
2014046067.tif 000008